(57)【特許請求の範囲】
【請求項１】
基地局に適用されるサブフレームスケジューリング方法であって、
アンライセンスキャリアをプリエンプトした場合、プリエンプトされた前記アンライセンスキャリアの開始位置を前記基地局が取得する段階と、
前記開始位置に基づいて第１の番号及び第１のサブフレームのタイプを判定する段階であって、前記第１の番号は、前記基地局がデータを送信するのに用いる前記開始位置に対応するシンボル番号であり、前記第１のサブフレームは、前記第１の番号に対応するシンボルが配置されているサブフレームである、段階と、
前記第１のサブフレームの前記タイプ及び前記第１の番号を端末に送信する段階と
を備える方法。
【請求項２】
ミニスロットに含まれるシンボル数が０より多く７より少なく、また前記ミニスロットに含まれる前記シンボル数が可変である場合、前記開始位置に基づいて第１の番号及び第１のサブフレームのタイプを判定する前記段階は、
前記開始位置がシンボル境界であり且つ前記開始位置に対応する前記シンボル番号が０である場合、前記第１のサブフレームの前記タイプがサブフレームであると判定し、前記第１の番号は０であると判定する段階、
前記開始位置がシンボル境界であり且つ前記開始位置に対応する前記シンボル番号が０より大きく７より小さい場合、前記第１のサブフレームの前記タイプはミニスロット及びスロットであると判定し、前記第１の番号は前記開始位置に対応する前記シンボル番号であると判定する段階、
前記開始位置がシンボル境界ではなく且つ前記開始位置に対応する前記シンボル番号が０より大きいかそれに等しく６より小さい場合、前記第１のサブフレームの前記タイプはミニスロット及びスロットであると判定し、前記第１の番号は前記開始位置に対応する前記シンボル番号に隣接した次の番号であると判定する段階、又は、
前記開始位置がシンボル境界ではなく且つ前記開始位置に対応する前記シンボル番号が６である場合、前記第１のサブフレームの前記タイプはスロットであると判定し、前記第１の番号は７であると判定する段階を
含む、請求項１に記載の方法。
【請求項３】
前記開始位置に基づいて第１の番号及び第１のサブフレームのタイプを判定する前記段階はさらに、
前記開始位置がシンボル境界であり且つ前記開始位置に対応する前記シンボル番号が７である場合、前記第１のサブフレームの前記タイプはスロットであると判定し、前記第１の番号は７であると判定する段階、
前記開始位置がシンボル境界であり且つ前記開始位置に対応する前記シンボル番号が７より大きく１４より小さい場合、前記第１のサブフレームの前記タイプはミニスロットであると判定し、前記第１の番号は前記開始位置に対応する前記シンボル番号であると判定する段階、
前記開始位置がシンボル境界ではなく且つ前記開始位置に対応する前記シンボル番号が７より大きいかそれに等しく１３より小さい場合、前記第１のサブフレームの前記タイプはミニスロットであると判定し、前記第１の番号は前記開始位置に対応する前記シンボル番号に隣接した次の番号であると判定する段階、又は、
前記開始位置がシンボル境界ではなく且つ前記開始位置に対応する前記シンボル番号が１３である場合、前記第１のサブフレームの前記タイプはサブフレームであると判定し、前記第１の番号は０であると判定する段階
を含む、請求項２に記載の方法。
【請求項４】
ミニスロットに含まれるシンボル数が０より多く７より少なく、また前記ミニスロットに含まれる前記シンボル数が固定である場合、前記開始位置に基づいて第１の番号及び第１のサブフレームのタイプを判定する前記段階は、
前記開始位置がシンボル境界であり且つ前記開始位置に対応する前記シンボル番号が０である場合、前記第１のサブフレームの前記タイプはサブフレームであると判定し、前記第１の番号は０であると判定する段階、
前記開始位置がシンボル境界であり且つ前記開始位置に対応する前記シンボル番号が０より大きく７より小さい場合、前記開始位置に対応する前記シンボル番号を７から差し引いて第１のシンボル数を求める段階、
前記第１のシンボル数が第２のシンボル数より多いかそれに等しい場合、前記第１のサブフレームの前記タイプはミニスロット及びスロットであると判定し、前記第１のシンボル数を前記第２のシンボル数で割ることにより余りを計算し、前記第１の番号は前記開始位置に対応する前記シンボル番号と前記余りとの合計であると判定する段階であって、前記第２のシンボル数は前記ミニスロットに含まれる前記シンボル数に等しい、段階、又は、
前記第１のシンボル数が前記第２のシンボル数より少ない場合、前記第１のサブフレームの前記タイプはスロットであると判定し、前記第１の番号は７であると判定する段階
を含む、請求項１に記載の方法。
【請求項５】
前記開始位置に基づいて第１の番号及び第１のサブフレームのタイプを判定する前記段階はさらに、
前記開始位置がシンボル境界ではなく且つ前記開始位置に対応する前記シンボル番号が０より大きいかそれに等しく６より小さい場合、第２の番号を７から差し引いて第１のシンボル数を求める段階であって、前記第２の番号は前記開始位置に対応する前記シンボル番号に隣接した次の番号である、段階、
前記第１のシンボル数が前記第２のシンボル数より多いかそれに等しい場合、前記第１のサブフレームの前記タイプはミニスロット及びスロットであると判定し、前記第１のシンボル数を前記第２のシンボル数で割ることにより余りを計算し、前記第１の番号は前記第２の番号と前記余りとの合計であると判定する段階、
前記第１のシンボル数が前記第２のシンボル数より少ない場合、前記第１のサブフレームの前記タイプはスロットであると判定し、前記第１の番号は７であると判定する段階、又は、
前記開始位置がシンボル境界ではなく且つ前記開始位置に対応する前記シンボル番号が６である場合、前記第１のサブフレームの前記タイプはスロットであると判定し、前記第１の番号は７であると判定する段階
を含む、請求項４に記載の方法。
【請求項６】
前記開始位置に基づいて第１の番号及び第１のサブフレームのタイプを判定する前記段階はさらに、
前記開始位置がシンボル境界であり且つ前記開始位置に対応する前記シンボル番号が７である場合、前記第１のサブフレームの前記タイプはスロットであると判定し、前記第１の番号は７であると判定する段階、
前記開始位置がシンボル境界であり且つ前記開始位置に対応する前記シンボル番号が７より大きく１４より小さい場合、前記開始位置に対応する前記シンボル番号を１４から差し引いて第１のシンボル数を求める段階、
前記第１のシンボル数が前記第２のシンボル数より多いかそれに等しい場合、前記第１のサブフレームの前記タイプはミニスロットであると判定し、前記第１のシンボル数を前記第２のシンボル数で割ることにより余りを計算し、前記第１の番号は前記開始位置に対応する前記シンボル番号と前記余りとの合計であると判定する段階、又は、
前記第１のシンボル数が前記第２のシンボル数より少ない場合、前記第１のサブフレームの前記タイプはサブフレームであると判定し、前記第１の番号は０であると判定する段階
を含む、請求項４に記載の方法。
【請求項７】
前記開始位置に基づいて第１の番号及び第１のサブフレームのタイプを判定する前記段階はさらに、
前記開始位置がシンボル境界ではなく且つ前記開始位置に対応する前記シンボル番号が７より大きいかそれに等しく１３より小さい場合、第２の番号を１４から差し引いて第１のシンボル数を求める段階であって、前記第２の番号は前記開始位置に対応する前記シンボル番号に隣接した次の番号である、段階、
前記第１のシンボル数が前記第２のシンボル数より多いかそれに等しい場合、前記第１のサブフレームの前記タイプはミニスロットであると判定し、前記第１のシンボル数を前記第２のシンボル数で割ることにより余りを計算し、前記第１の番号は前記第２の番号と前記余りとの合計であると判定する段階、
前記第１のシンボル数が前記第２のシンボル数より少ない場合、前記第１のサブフレームの前記タイプはサブフレームであると判定し、前記第１の番号は０であると判定する段階、又は、
前記開始位置がシンボル境界ではなく且つ前記開始位置に対応する前記シンボル番号が１３である場合、前記第１のサブフレームの前記タイプはサブフレームであると判定し、前記第１の番号は０であると判定する段階
を含む、請求項４に記載の方法。
【請求項８】
前記第１のサブフレームの前記タイプ及び前記第１の番号を端末に送信する前記段階は、
前記第１のサブフレームの前記タイプ及び前記第１の番号を前記端末にダウンリンク制御情報（ＤＣＩ）を用いて送信する段階を含む、請求項１から７のいずれか一項に記載の方法。
【請求項９】
前記第１のサブフレームの前記タイプ及び前記第１の番号を前記端末にＤＣＩを用いて送信する前記段階は、
新たなビット情報を前記ＤＣＩに追加するか又は現在のビット情報を再使用して、前記第１のサブフレームの前記タイプ及び前記第１の番号を前記端末に送信する段階を含む、請求項８に記載の方法。
【請求項１０】
基地局であって、
前記基地局がアンライセンスキャリアをプリエンプトした場合、プリエンプトされた前記アンライセンスキャリアの開始位置を取得するように構成された取得ユニットと、
前記取得ユニットで取得した前記開始位置に基づいて、第１の番号及び第１のサブフレームのタイプを判定するように構成された判定ユニットであって、前記第１の番号は、前記基地局がデータを送信するのに用いる前記開始位置に対応するシンボル番号であり、前記第１のサブフレームは、前記第１の番号に対応するシンボルが配置されているサブフレームである、判定ユニットと、
前記判定ユニットで判定した前記第１のサブフレームの前記タイプ、及び前記判定ユニットで判定した前記第１の番号を端末に送信するように構成された送信ユニットと
を備える基地局。
【請求項１１】
ミニスロットに含まれるシンボル数が０より多く７より少なく、また前記ミニスロットに含まれる前記シンボル数が可変である場合、前記判定ユニットは、
前記開始位置がシンボル境界であり且つ前記開始位置に対応する前記シンボル番号が０である場合、前記第１のサブフレームの前記タイプはサブフレームであると判定し、前記第１の番号は０であると判定すること、
前記開始位置がシンボル境界であり且つ前記開始位置に対応する前記シンボル番号が０より大きく７より小さい場合、前記第１のサブフレームの前記タイプがミニスロット及びスロットであると判定し、前記第１の番号は前記開始位置に対応する前記シンボル番号であると判定すること、
前記開始位置がシンボル境界ではなく且つ前記開始位置に対応する前記シンボル番号が０より大きいかそれに等しく６より小さい場合、前記第１のサブフレームの前記タイプはミニスロット及びスロットであると判定し、前記第１の番号は前記開始位置に対応する前記シンボル番号に隣接した次の番号であると判定すること、又は、
前記開始位置がシンボル境界ではなく且つ前記開始位置に対応する前記シンボル番号が６である場合、前記第１のサブフレームの前記タイプはスロットであると判定し、前記第１の番号は７であると判定すること
を含む、請求項１０に記載の基地局。
【請求項１２】
前記判定ユニットはさらに、
前記開始位置がシンボル境界であり且つ前記開始位置に対応する前記シンボル番号が７である場合、前記第１のサブフレームの前記タイプはスロットであると判定し、前記第１の番号は７であると判定すること、
前記開始位置がシンボル境界であり且つ前記開始位置に対応する前記シンボル番号が７より大きく１４より小さい場合、前記第１のサブフレームの前記タイプはミニスロットであると判定し、前記第１の番号は前記開始位置に対応する前記シンボル番号であると判定すること、
前記開始位置がシンボル境界ではなく且つ前記開始位置に対応する前記シンボル番号が７より大きいかそれに等しく１３より小さい場合、前記第１のサブフレームの前記タイプはミニスロットであると判定し、前記第１の番号は前記開始位置に対応する前記シンボル番号に隣接した次の番号であると判定すること、又は、
前記開始位置がシンボル境界ではなく且つ前記開始位置に対応する前記シンボル番号が１３である場合、前記第１のサブフレームの前記タイプはサブフレームであると判定し、前記第１の番号は０であると判定すること
を含む、請求項１１に記載の基地局。
【請求項１３】
ミニスロットに含まれるシンボル数が０より多く７より少なく、また前記ミニスロットに含まれる前記シンボル数が固定である場合、前記判定ユニットは、
前記開始位置がシンボル境界であり且つ前記開始位置に対応する前記シンボル番号が０である場合、前記第１のサブフレームの前記タイプはサブフレームであると判定し、前記第１の番号は０であると判定すること、
前記開始位置がシンボル境界であり且つ前記開始位置に対応する前記シンボル番号が０より大きく７より小さい場合、前記開始位置に対応する前記シンボル番号を７から差し引いて第１のシンボル数を求めること、
前記第１のシンボル数が第２のシンボル数より多いかそれに等しい場合、前記第１のサブフレームの前記タイプはミニスロット及びスロットであると判定し、前記第１のシンボル数を前記第２のシンボル数で割ることにより余りが計算され、前記第１の番号は前記開始位置に対応する前記シンボル番号と前記余りとの合計であると判定することであって、前記第２のシンボル数は前記ミニスロットに含まれる前記シンボル数に等しい、判定すること、又は、
前記第１のシンボル数が前記第２のシンボル数より少ない場合、前記第１のサブフレームの前記タイプはスロットであると判定し、前記第１の番号は７であると判定すること
を含む、請求項１０に記載の基地局。
【請求項１４】
前記判定ユニットはさらに、
前記開始位置がシンボル境界ではなく且つ前記開始位置に対応する前記シンボル番号が０より大きいかそれに等しく６より小さい場合、第２の番号を７から差し引いて第１のシンボル数を求めることであって、前記第２の番号は前記開始位置に対応する前記シンボル番号に隣接した次の番号である、求めること、
前記第１のシンボル数が前記第２のシンボル数より多いかそれに等しい場合、前記第１のサブフレームの前記タイプはミニスロット及びスロットであると判定し、前記第１のシンボル数を前記第２のシンボル数で割ることにより余りを計算し、前記第１の番号は前記第２の番号と前記余りとの合計であると判定すること、
前記第１のシンボル数が前記第２のシンボル数より少ない場合、前記第１のサブフレームの前記タイプはスロットであると判定し、前記第１の番号は７であると判定すること、又は、
前記開始位置がシンボル境界ではなく且つ前記開始位置に対応する前記シンボル番号が６である場合、前記第１のサブフレームの前記タイプはスロットであると判定し、前記第１の番号は７であると判定すること
を含む、請求項１３に記載の基地局。
【請求項１５】
前記判定ユニットはさらに、
前記開始位置がシンボル境界であり且つ前記開始位置に対応する前記シンボル番号が７である場合、前記第１のサブフレームの前記タイプはスロットであると判定し、前記第１の番号は７であると判定すること、
前記開始位置がシンボル境界であり且つ前記開始位置に対応する前記シンボル番号が７より大きく１４より小さい場合、前記開始位置に対応する前記シンボル番号を１４から差し引いて第１のシンボル数を求めること、
前記第１のシンボル数が前記第２のシンボル数より多いかそれに等しい場合、前記第１のサブフレームの前記タイプはミニスロットであると判定し、前記第１のシンボル数を前記第２のシンボル数で割ることにより余りを計算し、前記第１の番号は前記開始位置に対応する前記シンボル番号と前記余りとの合計であると判定すること、又は、
前記第１のシンボル数が前記第２のシンボル数より少ない場合、前記第１のサブフレームの前記タイプをサブフレームであると判定し、前記第１の番号は０であると判定すること
を含む、請求項１４に記載の基地局。
【請求項１６】
前記判定ユニットはさらに、
前記開始位置がシンボル境界ではなく且つ前記開始位置に対応する前記シンボル番号が７より大きいかそれに等しく１３より小さい場合、第２の番号を１４から差し引いて第１のシンボル数を求めることであって、前記第２の番号は前記開始位置に対応する前記シンボル番号に隣接した次の番号である、求めること、
前記第１のシンボル数が前記第２のシンボル数より多いかそれに等しい場合、前記第１のサブフレームの前記タイプはミニスロットであると判定し、前記第１のシンボル数を前記第２のシンボル数で割ることにより余りを計算し、前記第１の番号は前記第２の番号と前記余りとの合計であると判定すること、
前記第１のシンボル数が前記第２のシンボル数より少ない場合、前記第１のサブフレームの前記タイプはサブフレームであると判定し、前記第１の番号は０であると判定すること、又は、
前記開始位置がシンボル境界ではなく且つ前記開始位置に対応する前記シンボル番号が１３である場合、前記第１のサブフレームの前記タイプはサブフレームであると判定し、前記第１の番号は０であると判定すること
を含む、請求項１５に記載の基地局。
【請求項１７】
前記送信ユニットは具体的に、前記第１のサブフレームの前記タイプ及び前記第１の番号を前記端末にダウンリンク制御情報（ＤＣＩ）を用いて送信するように構成される、請求項１０から１６のいずれか一項に記載の基地局。
【請求項１８】
前記送信ユニットは具体的に、新たなビット情報を前記ＤＣＩに追加するか又は現在のビット情報を再使用して、前記第１のサブフレームの前記タイプ及び前記第１の番号を前記端末に送信するように構成される、請求項１７に記載の基地局。
【請求項１９】
プロセッサ、メモリ、及び送受信機を備える基地局であって、
プログラムコードのセットが前記メモリに格納され、前記プロセッサは、前記メモリに格納された前記プログラムコードを呼び出して、
アンライセンスキャリアをプリエンプトした場合、プリエンプトされた前記アンライセンスキャリアの開始位置を前記基地局が取得するオペレーションと、
前記開始位置に基づいて第１の番号及び第１のサブフレームのタイプを判定するオペレーションであって、前記第１の番号は、前記基地局がデータを送信するのに用いる前記開始位置に対応するシンボル番号であり、前記第１のサブフレームは、前記第１の番号に対応するシンボルが配置されているサブフレームである、オペレーションと
を実行するように構成され、
前記送受信機は、前記第１のサブフレームの前記タイプ及び前記第１の番号を端末に送信するように構成される、基地局。
【発明の詳細な説明】
【技術分野】
【０００１】
本発明は、通信技術の分野に関するものであり、具体的には、サブフレームスケジューリング方法及び基地局に関するものである。
【背景技術】
【０００２】
無線通信システムにおいて用いられる周波数帯には、ライセンス周波数帯（ｌｉｃｅｎｓｅｄ  ｓｐｅｃｔｒｕｍ）とアンライセンス周波数帯（ｕｎｌｉｃｅｎｓｅｄ  ｓｐｅｃｔｒｕｍ）とが含まれる。ライセンス周波数帯は、認可されたユーザだけが使用できる周波数帯であり、アンライセンス周波数帯は、どのユーザでも使用できる周波数帯である。ライセンス周波数帯にあるキャリアはライセンスキャリアと呼ばれ、アンライセンス周波数帯にあるキャリアはアンライセンスキャリアと呼ばれる。したがって、アンライセンス周波数帯を使用する必要がある場合、基地局はリッスンビフォアトーク（Ｌｉｓｔｅｎ  Ｂｅｆｏｒｅ  Ｔａｌｋ、ＬＢＴ）方式でチャネルをプリエンプトする必要がある。現在、ロングタームエボリューションを使用するライセンス補助アクセス（Ｌｉｃｅｎｓｅｄ−Ａｓｓｉｓｔｅｄ  Ａｃｃｅｓｓ  Ｕｓｉｎｇ  Ｌｏｎｇ  Ｔｅｒｍ  Ｅｖｏｌｕｔｉｏｎ、ＬＡＡ−ＬＴＥ）システムにおいて、基地局は、チャネルをプリエンプトした後に、送信データの開始シンボルの番号を端末に送信して、端末が当該番号を用いて対応するデータを受信し且つ復調できるようにする。しかしながら、ミニスロット（ｍｉｎｉ−ｓｌｏｔ）タイプが、３ＧＰＰのＲＡＮ１による５Ｇフレーム構造の研究に追加されている。したがって、データが５Ｇアンライセンスキャリアで送信される場合、送信データの開始シンボルの番号だけが端末に送信される。この場合、端末は、サブフレームに含まれ得るフレーム構造のタイプを認識していない。その結果、端末側での受信の複雑さが増す。
【発明の概要】
【０００３】
本発明の実施形態が、端末の処理プロセスを簡略化するために、サブフレームスケジューリング方法及び基地局を開示する。
【０００４】
第１の態様によって、サブフレームスケジューリング方法が開示される。本方法は基地局に適用される。アンライセンスキャリアをプリエンプトした場合、基地局は、プリエンプトされたアンライセンスキャリアの開始位置を取得し、プリエンプトされたアンライセンスキャリアの開始位置に基づいて、第１の番号及び第１のサブフレームのタイプを判定し、第１のサブフレームのタイプ及び第１の番号を端末に送信する。第１の番号は、第１のサブフレーム内にあって、基地局がデータを送信するのに用いる開始位置に対応するシンボル番号であり、第１のサブフレームは、第１の番号に対応するシンボルが配置されているサブフレームである。第１のサブフレームのタイプが端末に送信されるので、端末は、第１のサブフレームのタイプに基づいて、第１のサブフレームの対応する受信復調方式を決定してよく、その結果、端末の処理プロセスを簡略化することができる。
【０００５】
一実施形態において、ミニスロットに含まれ得るシンボル数は０より多く７より少ない。また、ミニスロットに含まれるシンボル数が可変であり、開始位置がシンボル境界であり且つ開始位置に対応するシンボル番号が０である場合、第１のサブフレームのタイプはサブフレームであると判定され、第１の番号は０であると判定される。開始位置がシンボル境界であり且つ開始位置に対応するシンボル番号が０より大きく７より小さい場合、第１のサブフレームのタイプはミニスロット及びスロットであると判定され、第１の番号は開始位置に対応するシンボル番号であると判定される。開始位置がシンボル境界ではなく且つ開始位置に対応するシンボル番号が０より大きいかそれに等しく６より小さい場合、第１のサブフレームのタイプはミニスロット及びスロットであると判定され、第１の番号は開始位置に対応するシンボル番号に隣接した次の番号であると判定される。又は、開始位置がシンボル境界ではなく且つ開始位置に対応するシンボル番号が６である場合、第１のサブフレームのタイプはスロットであると判定され、第１の番号は７であると判定される。第１のサブフレームのタイプは、サブフレーム、ミニスロット及びスロット、スロット、並びにミニスロットを含んでよい。サブフレームは、第１のサブフレーム内のシンボル０から開始するデータが送信されることを示し、ミニスロット及びスロットは、第１のサブフレーム内にあるシンボル１〜シンボル６のうちのいずれか１つから開始するデータが送信されることを示し、スロットは、第１のサブフレーム内のシンボル７から開始するデータが送信されることを示し、ミニスロットは、第１のサブフレーム内にあるシンボル８〜シンボル１３のうちのいずれか１つから開始するデータが送信されることを示す。したがって、ミニスロットに含まれるシンボル数が可変であり、開始位置がシンボル境界であり且つ開始位置に対応するシンボル番号が０より大きく７より小さい場合、又は、開始位置がシンボル境界ではなく且つ開始位置に対応するシンボル番号が０より大きいかそれに等しく６より小さい場合、シンボル７から開始するデータの送信を待つ必要もなく、第１のサブフレーム内のシンボル７より前のシンボルを用いてデータが送信されてよい。したがって、データを送信するのに用いられるシンボル数を増やすことができるので、チャネル利用率を増加させることができると共に、端末の処理プロセスが簡略化される。
【０００６】
一実施形態において、ミニスロットに含まれるシンボル数が可変であり、開始位置がシンボル境界であり且つ開始位置に対応するシンボル番号が７である場合、第１のサブフレームのタイプはスロットであると判定され、第１の番号は７であると判定される。開始位置がシンボル境界であり且つ開始位置に対応するシンボル番号が７より大きく１４より小さい場合、第１のサブフレームのタイプはミニスロットであると判定され、第１の番号は開始位置に対応するシンボル番号であると判定される。開始位置がシンボル境界ではなく且つ開始位置に対応するシンボル番号が７より大きいかそれに等しく１３より小さい場合、第１のサブフレームのタイプはミニスロットであると判定され、第１の番号は開始位置に対応するシンボル番号に隣接した次の番号であると判定される。又は、開始位置がシンボル境界ではなく且つ開始位置に対応するシンボル番号が１３である場合、第１のサブフレームのタイプはサブフレームであると判定され、第１の番号は０であると判定される。したがって、ミニスロットに含まれるシンボル数が可変であり、開始位置がシンボル境界であり且つ開始位置に対応するシンボル番号が７より大きく１４より小さい場合、又は開始位置がシンボル境界ではなく且つ開始位置に対応するシンボル番号が７より大きいかそれに等しく１３より小さい場合、次のサブフレームから開始するデータの送信を待つ必要もなく、第１のサブフレーム内にあるシンボル８〜シンボル１３のうちのいずれか１つから開始するデータが送信されてよい。したがって、データを送信するのに用いられるシンボルのデータが増加し得るので、チャネル利用率を増加させることができると共に、端末の処理プロセスが簡略化される。
【０００７】
一実施形態において、ミニスロットに含まれるシンボル数が固定であり、開始位置がシンボル境界であり且つ開始位置に対応するシンボル番号が０である場合、第１のサブフレームのタイプはサブフレームであると判定され、第１の番号は０であると判定される。開始位置がシンボル境界であり且つ開始位置に対応するシンボル番号が０より大きく７より小さい場合、開始位置に対応するシンボル番号を７から差し引いて第１のシンボル数を求める。第１のシンボル数が第２のシンボル数より多いかそれに等しい場合、第１のサブフレームのタイプはミニスロット及びスロットであると判定され、第１のシンボル数を第２のシンボル数で割ることにより余りが計算され、第１の番号は、開始位置に対応するシンボル番号と余りとの合計であると判定され、第２のシンボル数はミニスロットに含まれるシンボル数に等しい。又は、第１のシンボル数が第２のシンボル数より少ない場合、第１のサブフレームのタイプはスロットであると判定され、第１の番号は７であると判定される。ミニスロットに含まれるシンボル数が固定であり、開始位置がシンボル境界であり且つ開始位置に対応するシンボル番号が０より大きく７より小さく、第１のシンボル数が第２のシンボル数より多いかそれに等しい場合、シンボル７から開始するデータの送信を待つ必要もなく、第１のサブフレーム内のシンボル７より前のシンボルを用いてデータが送信されてよい。したがって、データを送信するのに用いられるシンボルのデータが増加し得るので、チャネル利用率を増加させることができると共に、端末の処理プロセスが簡略化される。
【０００８】
一実施形態において、ミニスロットに含まれるシンボル数が固定であり、開始位置がシンボル境界ではなく且つ開始位置に対応するシンボル番号が０より大きいかそれに等しく６より小さい場合、第２の番号を７から差し引いて第１のシンボル数を求め、第２の番号は開始位置に対応するシンボル番号に隣接した次の番号である。第１のシンボル数が第２のシンボル数より多いかそれに等しい場合、第１のサブフレームのタイプはミニスロット及びスロットであると判定され、第１のシンボル数を第２のシンボル数で割ることにより余りが計算され、第１の番号は第２の番号と余りとの合計であると判定される。第１のシンボル数が第２のシンボル数より少ない場合、第１のサブフレームのタイプはスロットであると判定され、第１の番号は７であると判定される。又は、開始位置がシンボル境界ではなく且つ開始位置に対応するシンボル番号が６である場合、第１のサブフレームのタイプはスロットであると判定され、第１の番号は７であると判定される。ミニスロットに含まれるシンボル数が固定であり、開始位置がシンボル境界ではなく且つ開始位置に対応するシンボル番号が０より大きいかそれに等しく６より小さく、第１のシンボル数が第２のシンボル数より多いかそれに等しい場合、シンボル７から開始するデータの送信を待つ必要もなく、第１のサブフレーム内のシンボル７より前のシンボルを用いてデータが送信されてよい。したがって、データを送信するのに用いられるシンボルのデータが増加し得るので、チャネル利用率を増加させることができると共に、端末の処理プロセスが簡略化される。
【０００９】
一実施形態において、ミニスロットに含まれるシンボル数が固定であり、開始位置がシンボル境界であり且つ開始位置に対応するシンボル番号が７である場合、第１のサブフレームのタイプはスロットであると判定され、第１の番号は７であると判定される。開始位置がシンボル境界であり且つ開始位置に対応するシンボル番号が７より大きく１４より小さい場合、開始位置に対応するシンボル番号を１４から差し引いて第１のシンボル数を求める。第１のシンボル数が第２のシンボル数より多いかそれに等しい場合、第１のサブフレームのタイプはミニスロットであると判定され、第１のシンボル数を第２のシンボル数で割ることにより余りが計算され、第１の番号は開始位置に対応するシンボル番号と余りとの合計であると判定される。又は、第１のシンボル数が第２のシンボル数より少ない場合、第１のサブフレームのタイプはサブフレームであると判定され、第１の番号は０であると判定される。ミニスロットに含まれるシンボル数が固定であり、開始位置がシンボル境界であり且つ開始位置に対応するシンボル番号が７より大きく１４より小さく、第１のシンボル数が第２のシンボル数より多いかそれに等しい場合、次のサブフレームから開始するデータの送信を待つ必要もなく、第１のサブフレーム内にあるシンボル８〜シンボル１３のうちのいずれか１つから開始するデータが送信されてよい。したがって、データを送信するのに用いられるシンボルのデータが増加し得るので、チャネル利用率を増加させることができると共に、端末の処理プロセスが簡略化される。
【００１０】
一実施形態において、ミニスロットに含まれるシンボル数が固定であり、開始位置がシンボル境界ではなく且つ開始位置に対応するシンボル番号が７より大きいかそれに等しく１３より小さい場合、第２の番号を１４から差し引いて第１のシンボル数を求め、第２の番号は開始位置に対応するシンボル番号に隣接した次の番号である。第１のシンボル数が第２のシンボル数より多いかそれに等しい場合、第１のサブフレームのタイプはミニスロットであると判定され、第１のシンボル数を第２のシンボル数で割ることにより余りが計算され、第１の番号は第２の番号と余りとの合計であると判定される。第１のシンボル数が第２のシンボル数より少ない場合、第１のサブフレームのタイプはサブフレームであると判定され、第１の番号は０であると判定される。又は、開始位置がシンボル境界ではなく且つ開始位置に対応するシンボル番号が１３である場合、第１のサブフレームのタイプはサブフレームであると判定され、第１の番号は０であると判定される。ミニスロットに含まれるシンボル数が固定であり、開始位置がシンボル境界ではなく且つ開始位置に対応するシンボル番号が７より大きいかそれに等しく１３より小さく、第１のシンボル数が第２のシンボル数より多いかそれに等しい場合、次のサブフレームから開始するデータの送信を待つ必要もなく、第１のサブフレーム内にあるシンボル８〜シンボル１３のうちのいずれか１つから開始するデータが送信されてよい。したがって、データを送信するのに用いられるシンボルのデータが増加し得るので、チャネル利用率を増加させることができると共に、端末の処理プロセスが簡略化される。
【００１１】
一実施形態において、第１のサブフレームのタイプ及び第１の番号が、ダウンリンク制御情報（Ｄｏｗｎｌｉｎｋ  Ｃｏｎｔｒｏｌ  Ｉｎｆｏｒｍａｔｉｏｎ、ＤＣＩ）を用いて端末に送信されてよい。
【００１２】
一実施形態において、第１のサブフレームのタイプ及び第１の番号を端末に送信するために、新たなビット情報がＤＣＩに追加されてもよく、又は現在のビット情報が再使用されてもよい。
【００１３】
第２の態様によって、基地局が開示される。基地局は、第１の態様又は第１の態様の実行可能な実施例のうちのいずれか１つにおいて提供されるサブフレームスケジューリング方法を実行するように構成されたユニットを含む。
【００１４】
第３の態様によって、プロセッサ、メモリ、及び送受信機を含む基地局が開示される。メモリには、プログラムコードのセットが格納され、プロセッサは、メモリに格納されたプログラムコードを呼び出して、以下に挙げるオペレーション、すなわち、アンライセンスキャリアをプリエンプトした場合、プリエンプトされたアンライセンスキャリアの開始位置を基地局が取得するオペレーションと、当該開始位置に基づいて第１の番号及び第１のサブフレームのタイプを判定するオペレーションであって、第１の番号は、基地局がデータを送信するのに用いる開始位置に対応するシンボル番号であり、第１のサブフレームは、第１の番号に対応するシンボルが配置されているサブフレームである、オペレーションとを実行するように構成され、送受信機は、第１のサブフレームのタイプ及び第１の番号を端末に送信するように構成される。
【００１５】
第４の態様によって、可読記憶媒体が開示される。可読記憶媒体は、第１の態様又は第１の態様の実行可能な実施例のうちのいずれか１つにおいて開示されたサブフレーム方法を実行するのに基地局が用いるプログラムコードを格納する。
【図面の簡単な説明】
【００１６】
【図１】本発明の一実施形態によるサブフレームの概略図である。
【００１７】
【図２】本発明の一実施形態によるネットワークアーキテクチャの概略図である。
【００１８】
【図３】本発明の一実施形態によるサブフレームスケジューリング方法の概略フローチャートである。
【００１９】
【図４】本発明の一実施形態による基地局の概略構造図である。
【００２０】
【図５】本発明の一実施形態による別の基地局の概略構造図である。
【発明を実施するための形態】
【００２１】
本発明の実施形態が、端末の処理プロセスを簡略化するために、サブフレームスケジューリング方法及び基地局を開示する。
【００２２】
本発明の実施形態において開示されるサブフレームスケジューリング方法及び基地局のより十分な理解のために、まず本発明の実施形態に用いられる基地局の概念が以下に説明される。現在、ＬＴＥによる従来型の４Ｇネットワークにおいて、基地局はサブフレームを基本単位として用いてデータを送信し、１つのサブフレームは１４個のシンボルを含み、１つのサブフレームは２つのスロット（ｓｌｏｔ）を含み、各スロットは７つのシンボルを含み、１つのサブフレームのシンボル番号は０から始まり１３で終わる。図１を参照すると、図１は本発明の一実施形態によるサブフレームの概略図である。図１に示すように、シンボル１〜シンボル６が第１のスロットであり、シンボル７〜シンボル１３が第２のスロットである。現在、ＬＡＡ−ＬＴＥシステムでは、チャネルをプリエンプトした後に、基地局は、シンボル０又はシンボル７から開始するデータのみを送信することができる。したがって、プリエンプトされたチャネルがシンボル０にも又はシンボル７にもない場合、予約信号（ｒｅｓｅｒｖａｔｉｏｎ  ｓｉｇｎａｌ）がスロット境界又はサブフレーム境界に送信される必要がある。予約信号は、チャネルを占有するのに用いられ、当該チャネルが別のネットワークノードによってプリエンプトされないようにする。しかしながら、どのデータも予約信号を用いて送信されない。プリエンプトされたチャネルがシンボル０にも又はシンボル７にもない場合、予約信号はスロット境界又はサブフレーム境界に送信される必要があるが、どのデータも予約信号を用いて送信されない。その結果、チャネル利用率が減少する。さらに、本発明のこの実施形態は、新たな概念、すなわちミニスロット（ｍｉｎｉ−ｓｌｏｔ）を提供する。ミニスロットに含まれるシンボル数は、スロットに含まれるシンボル数より少なく、また含まれるシンボルの数は０より多く７より少ない。
【００２３】
本発明の実施形態において開示されるサブフレームスケジューリング方法及び基地局のより十分な理解のために、まず本発明の実施形態に用いられるネットワークアーキテクチャが以下に説明される。図２を参照すると、図２は本発明の一実施形態によるネットワークアーキテクチャの概略図である。図２に示すように、ネットワークアーキテクチャは、基地局２０１及び端末２０２を含んでよい。基地局２０１は、ネットワークを用いて端末２０２に接続されてよい。基地局２０１がアンライセンスキャリアを用いて端末２０２と通信する必要がある場合、基地局２０１は、アンライセンスキャリアをプリエンプトし、プリエンプトされたアンライセンスキャリアの開始位置に基づいて、データを送信するのに用いられる開始位置に対応するシンボル番号と、データを送信するのに用いられる第１のサブフレームのタイプとを判定し、判定したシンボル番号及び判定した第１のサブフレームのタイプをライセンスキャリア又はアンライセンスキャリアを用いて端末２０２に送信し、プリエンプトされたアンライセンスキャリアを用いて送信対象データを端末２０２に送信するように構成される。端末２０２は、基地局２０１により送信されるシンボル番号、第１のサブフレームのタイプ、及び送信対象データを受信し、第１のサブフレームのタイプに基づいて、第１のサブフレームを復号するのに用いられる復号方式を決定し、次に、復号方式及びシンボル番号に基づいて送信対象データを復号するように構成される。第１のサブフレームのタイプは、サブフレーム、ミニスロット及びスロット、スロット、並びにミニスロットを含んでよい。サブフレームは、第１のサブフレーム内のシンボル０から開始するデータが送信されることを示し、ミニスロット及びスロットは、第１のサブフレーム内にあるシンボル１〜シンボル６のうちのいずれか１つから開始するデータが送信されることを示し、スロットは、第１のサブフレーム内のシンボル７から開始するデータが送信されることを示し、ミニスロットは、第１のサブフレーム内にあるシンボル８〜シンボル１３のうちのいずれか１つから開始するデータが送信されることを示す。サブフレーム及びスロットの定義は、従来の定義と同じであっても、又は従来の定義とは異なっていてもよい。基地局１０１は、ロングタームエボリューション（Ｌｏｎｇ  Ｔｅｒｍ  Ｅｖｏｌｕｔｉｏｎ、ＬＴＥ）システム若しくはロングタームエボリューションアドバンスド（ＬＴＥ−Ａｄｖａｎｃｅｄ、ＬＴＥ−Ａ）システムにおける進化型ＮｏｄｅＢ（ｅｖｏｌｖｅｄ  ＮｏｄｅＢ、ＮｏｄｅＢ、ｅＮＢ、又はｅ−ＮｏｄｅＢ）、又は５Ｇ新無線（Ｎｅｗ  Ｒａｄｉｏ，  ＮＲ）技術におけるｇＮＢ若しくはｇ−ＮｏｄｅＢなどの、アクセスネットワークのエアインタフェースを介し、１つ又は複数のセクターを用いて端末と通信する装置であってよい。基地局２０１は、受信したエアフレームとインターネットプロトコル（Ｉｎｔｅｒｎｅｔ  Ｐｒｏｔｏｃｏｌ、ＩＰ）パケットを相互に変換するように構成されてよく、端末とアクセスネットワークの残りの部分（アクセスネットワークの残りの部分はＩＰネットワークを含んでよい）との間のルータとして用いられ、さらにエアインタフェースの属性管理を調整するように構成されてもよい。
【００２４】
図２に示すネットワークアーキテクチャに基づいて、図３を参照すると、図３は、本発明の一実施形態によるサブフレームスケジューリング方法の概略フローチャートである。サブフレームスケジューリング方法は、基地局１０１及び端末１０２の観点から説明される。図３に示すように、サブフレームスケジューリング方法は次に挙げる段階を含んでよい。
【００２５】
３０１：基地局がアンライセンスキャリアをプリエンプトした場合、基地局はプリエンプトされたアンライセンスキャリアの開始位置を取得する。
【００２６】
この実施形態では、アンライセンスキャリアを用いて端末と通信する必要がある場合、基地局はＬＢＴ方式でアンライセンスキャリアをプリエンプトする。アンライセンスキャリアをプリエンプトした場合、基地局はプリエンプトされたアンライセンスキャリアの開始位置を取得する。
【００２７】
３０２：基地局は、プリエンプトされたアンライセンスキャリアの開始位置に基づいて、第１の番号及び第１のサブフレームのタイプを判定する。
【００２８】
この実施形態では、プリエンプトされたアンライセンスキャリアの開始位置を取得した後に、基地局は、プリエンプトされたアンライセンスキャリアの開始位置に基づいて、第１の番号及び第１のサブフレームのタイプを判定する。第１の番号は、データを送信するのに用いられる開始位置に対応するシンボル番号であり、第１のサブフレームは、第１の番号に対応するシンボルが配置されているサブフレームである。
【００２９】
この実施形態では、ミニスロットに含まれるシンボル数が可変であり、プリエンプトされたアンライセンスキャリアの開始位置がシンボル境界であり且つプリエンプトされたアンライセンスキャリアの開始位置に対応するシンボル番号が０である場合、第１のサブフレームのタイプはサブフレームであり、第１の番号は０である。シンボル境界は、シンボルの開始位置であり、シンボルの中間位置でもなく又は終了位置でもない。
【００３０】
この実施形態では、ミニスロットに含まれるシンボル数が可変であり、プリエンプトされたアンライセンスキャリアの開始位置がシンボル境界であり且つプリエンプトされたアンライセンスキャリアの開始位置に対応するシンボル番号が０より大きく７より小さい場合、第１のサブフレームのタイプはミニスロット及びスロットであり、第１の番号は、プリエンプトされたアンライセンスキャリアの開始位置に対応するシンボル番号である。ミニスロット及びスロットのうちのミニスロットは、第１の番号を７から差し引くことで求められるシンボル数を含む。
【００３１】
この実施形態では、ミニスロットに含まれるシンボル数が可変であり、プリエンプトされたアンライセンスキャリアの開始位置がシンボル境界ではなく且つプリエンプトされたアンライセンスキャリアの開始位置に対応するシンボル番号が０より大きいかそれに等しく６より小さい場合、第１のサブフレームのタイプはミニスロット及びスロットであり、第１の番号は、プリエンプトされたアンライセンスキャリアの開始位置に対応するシンボル番号に隣接した次の番号である。ミニスロット及びスロットのうちのミニスロットは、第１の番号を７から差し引くことで求められるシンボル数を含み、プリエンプトされたアンライセンスキャリアの開始位置と第１の番号との間の位置が、予約シンボルを送信するのに用いられる。
【００３２】
この実施形態では、ミニスロットに含まれるシンボル数が可変であり、プリエンプトされたアンライセンスキャリアの開始位置がシンボル境界ではなく且つプリエンプトされたアンライセンスキャリアの開始位置に対応するシンボル番号が６である場合、第１のサブフレームのタイプはスロットであり、第１の番号は７である。プリエンプトされたアンライセンスキャリアの開始位置と第１の番号との間の位置が、予約シンボルを送信するのに用いられる。
【００３３】
この実施形態では、ミニスロットに含まれるシンボル数が可変であり、プリエンプトされたアンライセンスキャリアの開始位置がシンボル境界であり且つプリエンプトされたアンライセンスキャリアの開始位置に対応するシンボル番号が７である場合、第１のサブフレームのタイプはスロットであり、第１の番号は７である。
【００３４】
この実施形態では、ミニスロットに含まれるシンボル数が可変であり、プリエンプトされたアンライセンスキャリアの開始位置がシンボル境界であり且つプリエンプトされたアンライセンスキャリアの開始位置に対応するシンボル番号が７より大きく１４より小さい場合、第１のサブフレームのタイプはミニスロットであり、第１の番号は、プリエンプトされたアンライセンスキャリアの開始位置に対応するシンボル番号である。ミニスロットは、第１の番号を１４から差し引くことで求められるシンボル数を含む。
【００３５】
この実施形態では、ミニスロットに含まれるシンボル数が可変であり、プリエンプトされたアンライセンスキャリアの開始位置がシンボル境界ではなく且つプリエンプトされたアンライセンスキャリアの開始位置に対応するシンボル番号が７より大きいかそれに等しく１３より小さい場合、第１のサブフレームのタイプはミニスロットであり、第１の番号は、プリエンプトされたアンライセンスキャリアの開始位置に対応するシンボル番号に隣接した次の番号である。ミニスロットは、第１の番号を１４から差し引くことで求められるシンボル数を含む。プリエンプトされたアンライセンスキャリアの開始位置と第１の番号との間の位置が、予約シンボルを送信するのに用いられる。
【００３６】
この実施形態では、ミニスロットに含まれるシンボル数が可変であり、プリエンプトされたアンライセンスキャリアの開始位置がシンボル境界ではなく且つプリエンプトされたアンライセンスキャリアの開始位置に対応するシンボル番号が１３である場合、第１のサブフレームのタイプはサブフレームであり、第１の番号は０である。プリエンプトされたアンライセンスキャリアの開始位置と第１の番号との間の位置が、予約シンボルを送信するのに用いられる。
【００３７】
この実施形態では、ミニスロットに含まれるシンボル数が固定であり、プリエンプトされたアンライセンスキャリアの開始位置がシンボル境界であり且つプリエンプトされたアンライセンスキャリアの開始位置に対応するシンボル番号が０である場合、第１のサブフレームのタイプはサブフレームであり、第１の番号は０である。
【００３８】
この実施形態では、ミニスロットに含まれるシンボル数が固定であり、プリエンプトされたアンライセンスキャリアの開始位置がシンボル境界であり且つプリエンプトされたアンライセンスキャリアの開始位置に対応するシンボル番号が０より大きく７より小さい場合、プリエンプトされたアンライセンスキャリアの開始位置に対応するシンボル番号を７から差し引いて第１のシンボル数を求める。第１のシンボル数が第２のシンボル数より多いかそれに等しい場合、第１のシンボル数を第２のシンボル数で割ることにより、余りが計算される。第１のサブフレームのタイプはミニスロット及びスロットであり、第１の番号は、プリエンプトされたアンライセンスキャリアの開始位置に対応するシンボル番号と余りとの合計である。第１のシンボル数が第２のシンボル数より少ない場合、第１のサブフレームのタイプはスロットであり、第１の番号は７である。第２のシンボル数は、ミニスロットに含まれるシンボル数に等しく、ミニスロット及びスロットのうちのミニスロットは、第１の番号を７から差し引くことで求められるシンボル数を含む。プリエンプトされたアンライセンスキャリアの開始位置と第１の番号との間の位置が、予約シンボルを送信するのに用いられる。
【００３９】
この実施形態では、ミニスロットに含まれるシンボル数が固定であり、プリエンプトされたアンライセンスキャリアの開始位置がシンボル境界ではなく且つプリエンプトされたアンライセンスキャリアの開始位置に対応するシンボル番号が０より大きいかそれに等しく６より小さい場合、第２の番号を７から差し引いて第１のシンボル数を求める。第１のシンボル数が第２のシンボル数より多いかそれに等しい場合、第１のシンボル数を第２のシンボル数で割ることにより、余りが計算される。第１のサブフレームのタイプはミニスロット及びスロットであり、第１の番号は、第２の番号と余りとの合計である。第１のシンボル数が第２のシンボル数より少ない場合、第１のサブフレームのタイプはスロットであり、第１の番号は７である。第２の番号は、プリエンプトされたアンライセンスキャリアの開始位置に対応するシンボル番号に隣接した次の番号である。ミニスロット及びスロットのうちのミニスロットは、第１の番号を７から差し引くことで求められるシンボル数を含む。プリエンプトされたアンライセンスキャリアの開始位置と第１の番号との間の位置が、予約シンボルを送信するのに用いられる。
【００４０】
この実施形態では、ミニスロットに含まれるシンボル数が固定であり、プリエンプトされたアンライセンスキャリアの開始位置がシンボル境界ではなく且つプリエンプトされたアンライセンスキャリアの開始位置に対応するシンボル番号が６である場合、第１のサブフレームのタイプはスロットであり、第１の番号は７である。プリエンプトされたアンライセンスキャリアの開始位置と番号７との間の位置が、予約シンボルを送信するのに用いられる。
【００４１】
この実施形態では、ミニスロットに含まれるシンボル数が固定であり、プリエンプトされたアンライセンスキャリアの開始位置がシンボル境界であり且つプリエンプトされたアンライセンスキャリアの開始位置に対応するシンボル番号が７である場合、第１のサブフレームのタイプはスロットであり、第１の番号は７である。
【００４２】
この実施形態では、ミニスロットに含まれるシンボル数が固定であり、プリエンプトされたアンライセンスキャリアの開始位置がシンボル境界であり且つプリエンプトされたアンライセンスキャリアの開始位置に対応するシンボル番号が７より大きく１４より小さい場合、プリエンプトされたアンライセンスキャリアの開始位置に対応するシンボル番号を１４から差し引いて第１のシンボル数を求める。
第１のシンボル数が第２のシンボル数より多いかそれに等しい場合、第１のシンボル数を第２のシンボル数で割ることにより、余りが計算される。第１のサブフレームのタイプはミニスロットであり、第１の番号は、プリエンプトされたアンライセンスキャリアの開始位置に対応するシンボル番号と余りとの合計である。第１のシンボル数が第２のシンボル数より少ない場合、第１のサブフレームのタイプはサブフレームであり、第１の番号は０である。ミニスロットは、第１の番号を１４から差し引くことで求められるシンボル数を含む。プリエンプトされたアンライセンスキャリアの開始位置と第１の番号との間の位置が、予約シンボルを送信するのに用いられる。
【００４３】
この実施形態では、ミニスロットに含まれるシンボル数が固定であり、プリエンプトされたアンライセンスキャリアの開始位置がシンボル境界ではなく且つプリエンプトされたアンライセンスキャリアの開始位置に対応するシンボル番号が７より大きいかそれに等しく１３より小さい場合、第２の番号を１４から差し引いて第１のシンボル数を求める。第１のシンボル数が第２のシンボル数より多いかそれに等しい場合、第１のシンボル数を第２のシンボル数で割ることにより、余りが計算される。第１のサブフレームのタイプはミニスロットであり、第１の番号は、第２の番号と余りとの合計である。第１のシンボル数が第２のシンボル数より少ない場合、第１のサブフレームのタイプはサブフレームであり、第１の番号は０である。ミニスロット及びスロットのうちのミニスロットは、第１の番号を７から差し引くことで求められるシンボル数を含む。プリエンプトされたアンライセンスキャリアの開始位置と第１の番号との間の位置が、予約シンボルを送信するのに用いられる。
【００４４】
この実施形態では、ミニスロットに含まれるシンボル数が固定であり、プリエンプトされたアンライセンスキャリアの開始位置がシンボル境界ではなく且つプリエンプトされたアンライセンスキャリアの開始位置に対応するシンボル番号が１３である場合、第１のサブフレームのタイプはサブフレームであり、第１の番号は０である。プリエンプトされたアンライセンスキャリアの開始位置と第１の番号との間の位置が、予約シンボルを送信するのに用いられる。
【００４５】
３０３：基地局は、第１のサブフレームのタイプ、及び第１の番号を端末に送信する。
【００４６】
この実施形態では、プリエンプトされたアンライセンスキャリアの開始位置に基づいて、第１の番号及び第１のサブフレームのタイプを判定した後に、基地局は、アンライセンスキャリア又はライセンスキャリアを用いて、第１のサブフレームのタイプ及び第１の番号を端末に送信してよい。すなわち基地局は、ＤＣＩを用いて第１のサブフレームのタイプ及び第１の番号を端末に送信してよい。あるいは、第１のサブフレームのタイプ及び第１の番号を端末に送信するために、新たなビット情報がＤＣＩに追加されてもよく、又は現在のビット情報が再使用されてもよい。
【００４７】
３０４：基地局は、プリエンプトされたアンライセンスキャリアを用いて、送信対象データを端末に送信する。
【００４８】
３０５：端末は、第１のサブフレームのタイプに基づいて、第１のサブフレームを復号するのに用いられる復号方式を決定し、当該復号方式及び第１の番号に基づいて送信対象データを復号する。
【００４９】
この実施形態では、第１のサブフレームのタイプ及び番号を受信した後に、端末は、第１のサブフレームのタイプに基づいて、まず第１のサブフレームを復号するのに用いられる復号方式を決定し、次に、当該復号方式及び第１の番号に基づいて送信対象データを復号する。
【００５０】
図３で説明されるサブフレームスケジューリング方法では、アンライセンスキャリアをプリエンプトした場合、基地局は、プリエンプトされたアンライセンスキャリアの開始位置を取得し、プリエンプトされたアンライセンスキャリアの開始位置に基づいて、第１の番号及び第１のサブフレームのタイプを判定し、第１のサブフレームのタイプ及び第１の番号を端末に送信する。第１のサブフレームのタイプが端末に送信されるので、端末は、第１のサブフレームのタイプに基づいて、第１のサブフレームに対応する受信復調方式を直接に決定してよく、その結果、端末の処理プロセスを簡略化することができる。
【００５１】
図２に示すネットワークアーキテクチャに基づいて図４を参照すると、図４は、本発明の一実施形態による基地局の概略構造図である。図４に示すように、基地局は、基地局がアンライセンスキャリアをプリエンプトした場合に、プリエンプトされたアンライセンスキャリアの開始位置を取得するように構成された取得ユニット４０１と、取得ユニット４０１で取得された開始位置に基づいて、第１の番号及び第１のサブフレームのタイプを判定するように構成された判定ユニット４０２であって、第１の番号は、基地局がデータを送信するのに用いる開始位置に対応するシンボル番号であり、第１のサブフレームは、第１の番号に対応するシンボルが配置されているサブフレームである、判定ユニット４０２と、判定ユニット４０２で判定された、第１のサブフレームのタイプ、及び判定ユニット４０２で判定された第１の番号を端末に送信するように構成された送信ユニット４０３とを含んでよい。
【００５２】
実行可能な実施例において、ミニスロットに含まれるシンボル数は０より多く７より少ない。また、ミニスロットに含まれるシンボル数が可変である場合、判定ユニット４０２は以下に挙げることを含んでよい。すなわち、開始位置がシンボル境界であり且つ開始位置に対応するシンボル番号が０である場合、第１のサブフレームのタイプはサブフレームであると判定し、第１の番号は０であると判定すること、開始位置がシンボル境界であり且つ開始位置に対応するシンボル番号が０より大きく７より小さい場合、第１のサブフレームのタイプはミニスロット及びスロットであると判定し、第１の番号は開始位置に対応するシンボル番号であると判定すること、開始位置がシンボル境界ではなく且つ開始位置に対応するシンボル番号が０より大きいかそれに等しく６より小さい場合、第１のサブフレームのタイプはミニスロット及びスロットであると判定し、第１の番号は開始位置に対応するシンボル番号に隣接した次の番号であると判定すること、又は、開始位置がシンボル境界ではなく且つ開始位置に対応するシンボル番号が６である場合、第１のサブフレームのタイプはスロットであると判定し、第１の番号は７であると判定することである。
【００５３】
実行可能な実施例において、判定ユニット４０２はさらに、以下に挙げることを含んでよい。すなわち、開始位置がシンボル境界であり且つ開始位置に対応するシンボル番号が７である場合、第１のサブフレームのタイプはスロットであると判定し、第１の番号は７であると判定すること、開始位置がシンボル境界であり且つ開始位置に対応するシンボル番号が７より大きく１４より小さい場合、第１のサブフレームのタイプはミニスロットであると判定し、第１の番号は開始位置に対応するシンボル番号であると判定すること、開始位置がシンボル境界ではなく且つ開始位置に対応するシンボル番号が７より大きいかそれに等しく１３より小さい場合、第１のサブフレームのタイプはミニスロットであると判定し、第１の番号は開始位置に対応するシンボル番号に隣接した次の番号であると判定すること、又は、開始位置がシンボル境界ではなく且つ開始位置に対応するシンボル番号が１３である場合、第１のサブフレームのタイプはサブフレームであると判定し、第１の番号は０であると判定することである。
【００５４】
実行可能な実施例において、ミニスロットに含まれるシンボル数は０より多く７より少ない。また、ミニスロットに含まれるシンボル数が固定である場合、判定ユニット４０２は以下に挙げることを含んでよい。すなわち、開始位置がシンボル境界であり且つ開始位置に対応するシンボル番号が０である場合、第１のサブフレームのタイプはサブフレームであると判定し、第１の番号は０であると判定すること、開始位置がシンボル境界であり且つ開始位置に対応するシンボル番号が０より大きく７より小さい場合、開始位置に対応するシンボル番号を７から差し引いて第１のシンボル数を求めること、第１のシンボル数が第２のシンボル数より多いかそれに等しい場合、第１のサブフレームのタイプはミニスロット及びスロットであると判定し、第１のシンボル数を第２のシンボル数で割ることにより余りを計算し、第１の番号は開始位置に対応するシンボル番号と余りとの合計であると判定することであって、第２のシンボル数はミニスロットに含まれるシンボル数に等しい、判定すること、又は、第１のシンボル数が第２のシンボル数より少ない場合、第１のサブフレームのタイプはスロットであると判定し、第１の番号は７であると判定することである。
【００５５】
実行可能な実施例において、判定ユニット４０２はさらに、以下に挙げることを含んでよい。すなわち、開始位置がシンボル境界ではなく且つ開始位置に対応するシンボル番号が０より大きいかそれに等しく６より小さい場合、第２の番号を７から差し引いて第１のシンボル数を求めることであって、第２の番号は開始位置に対応するシンボル番号に隣接した次の番号である、求めること、第１のシンボル数が第２のシンボル数より多いかそれに等しい場合、第１のサブフレームのタイプはミニスロット及びスロットであると判定し、第１のシンボル数を第２のシンボル数で割ることにより余りを計算し、第１の番号は第２の番号と余りとの合計であると判定すること、第１のシンボル数が第２のシンボル数より少ない場合、第１のサブフレームのタイプはスロットであると判定し、第１の番号は７であると判定すること、又は、開始位置がシンボル境界ではなく且つ開始位置に対応するシンボル番号が６である場合、第１のサブフレームのタイプはスロットであると判定し、第１の番号は７であると判定することである。
【００５６】
実行可能な実施例において、判定ユニット４０２はさらに、以下に挙げることを含んでよい。すなわち、開始位置がシンボル境界であり且つ開始位置に対応するシンボル番号が７である場合、第１のサブフレームのタイプはスロットであると判定し、第１の番号は７であると判定すること、開始位置がシンボル境界であり且つ開始位置に対応するシンボル番号が７より大きく１４より小さい場合、開始位置に対応するシンボル番号を１４から差し引いて第１のシンボル数を求めること、第１のシンボル数が第２のシンボル数より多いかそれに等しい場合、第１のサブフレームのタイプはミニスロットであると判定し、第１のシンボル数を第２のシンボル数で割ることにより余りを計算し、第１の番号は開始位置に対応するシンボル番号と余りとの合計であると判定すること、又は、第１のシンボル数が第２のシンボル数より少ない場合、第１のサブフレームのタイプはサブフレームであると判定し、第１の番号は０であると判定することである。
【００５７】
実行可能な実施例において、判定ユニット４０２はさらに、以下に挙げることを含んでよい。すなわち、開始位置がシンボル境界ではなく且つ開始位置に対応するシンボル番号が７より大きいかそれに等しく１３より小さい場合、第２の番号を１４から差し引いて第１のシンボル数を求めることであって、第２の番号は開始位置に対応するシンボル番号に隣接した次の番号である、求めること、第１のシンボル数が第２のシンボル数より多いかそれに等しい場合、第１のサブフレームのタイプはミニスロットであると判定し、第１のシンボル数を第２のシンボル数で割ることにより余りを計算し、第１の番号は第２の番号と余りとの合計であると判定すること、第１のシンボル数が第２のシンボル数より少ない場合、第１のサブフレームのタイプはサブフレームであると判定し、第１の番号は０であると判定すること、又は、開始位置がシンボル境界ではなく且つ開始位置に対応するシンボル番号が１３である場合、第１のサブフレームのタイプはサブフレームであると判定し、第１の番号は０であると判定することである。
【００５８】
実行可能な実施例において、送信ユニット４０３は具体的に、第１のサブフレームのタイプ及び第１の番号を端末にＤＣＩを用いて送信するように構成される。
【００５９】
実行可能な実施例において、送信ユニット４０３は具体的に、新たなビット情報をＤＣＩに追加するか又は現在のビット情報を再使用して、第１のサブフレームのタイプ及び第１の番号を端末に送信するように構成される。
【００６０】
図４で説明される基地局では、アンライセンスキャリアをプリエンプトした場合、基地局は、プリエンプトされたアンライセンスキャリアの開始位置を取得し、プリエンプトされたアンライセンスキャリアの開始位置に基づいて、第１の番号及び第１のサブフレームのタイプを判定し、第１のサブフレームのタイプ及び第１の番号を端末に送信する。第１のサブフレームのタイプが端末に送信されるので、端末は、第１のサブフレームのタイプに基づいて、第１のサブフレームに対応する受信復調方式を直接に決定してよく、その結果、端末の処理プロセスを簡略化することができる。
【００６１】
図２に示すネットワークアーキテクチャに基づいて図５を参照すると、図５は、本発明の一実施形態による別の基地局の概略構造図である。図５に示すように、基地局は、プロセッサ５０１、メモリ５０２、送受信機５０３、及びバス５０４を含んでよい。プロセッサ５０１は、中央演算処理装置（ＣＰＵ）、複数のＣＰＵ、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本発明の解決手段におけるプログラム実行を制御するように構成された１つ若しくは複数の集積回路であってよい。メモリ５０２は、リードオンリメモリ（ｒｅａｄ−ｏｎｌｙ  ｍｅｍｏｒｙ、ＲＯＭ）若しくは静的情報及び命令を格納できる別のタイプの静的記憶装置であっても、又はランダムアクセスメモリ（ｒａｎｄｏｍ  ａｃｃｅｓｓ  ｍｅｍｏｒｙ、ＲＡＭ）若しくは情報及び命令を格納できる別のタイプ動的記憶装置であってもよく、あるいは、電気的消去可能プログラム可能型リードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）若しくは別のコンパクトディスク記憶装置、光ディスク記憶装置（圧縮型光ディスク、レーザディスク、光ディスク、デジタル多用途ディスク、及びＢｌｕ−ｒａｙ（登録商標）ディスクなどを含む）、磁気ディスク記憶媒体若しくは別の磁気記憶装置、又は、期待されるプログラムコードを命令若しくはデータ構造形式で記憶若しくは格納するのに用いることができ、コンピュータがアクセスできる任意の他の媒体であってもよい。しかしながら、本発明はこれに限定されない。メモリ５０２は別個に存在してよく、バス５０４はプロセッサ５０１に接続される。メモリ５０２及びプロセッサ５０１は共に統合されてもよい。送受信機５０３は、イーサネット（登録商標）、無線アクセスネットワーク（ＲＡＮ）、又は無線ローカルエリアネットワーク（Ｗｉｒｅｌｅｓｓ  Ｌｏｃａｌ  Ａｒｅａ  Ｎｅｔｗｏｒｋ、ＷＬＡＮ）などの通信ネットワーク、又は別の装置と通信するように構成される。バス５０４は、前述のコンポーネント間で情報が転送される経路を含んでよい。
【００６２】
プログラムコードのセットがメモリ５０２に格納され、プロセッサ５０１は、メモリ５０２に格納されたプログラムコードを呼び出して、以下に挙げるオペレーションを実行するように構成される。すなわち、アンライセンスキャリアをプリエンプトした場合、プリエンプトされたアンライセンスキャリアの開始位置を基地局が取得するオペレーションと、開始位置に基づいて、第１の番号及び第１のサブフレームのタイプを判定するオペレーションであって、第１の番号は、基地局がデータを送信するのに用いる開始位置に対応するシンボル番号であり、第１のサブフレームは、第１の番号に対応するシンボルが配置されているサブフレームである、オペレーションとである。送受信機５０３は、第１のサブフレームのタイプ及び第１の番号を端末に送信するように構成される。
【００６３】
実行可能な実施例において、ミニスロットに含まれるシンボル数は０より多く７より少ない。また、ミニスロットに含まれるシンボル数が可変である場合、プロセッサ５０１が開始位置に基づいて第１の番号及び第１のサブフレームのタイプを判定することは、以下に挙げることを含む。すなわち、開始位置がシンボル境界であり且つ開始位置に対応するシンボル番号が０である場合、第１のサブフレームのタイプはサブフレームであると判定し、第１の番号は０であると判定すること、開始位置がシンボル境界であり且つ開始位置に対応するシンボル番号が０より大きく７より小さい場合、第１のサブフレームのタイプはミニスロット及びスロットであると判定し、第１の番号は開始位置に対応するシンボル番号であると判定すること、開始位置がシンボル境界ではなく且つ開始位置に対応するシンボル番号が０より大きいかそれに等しく６より小さい場合、第１のサブフレームのタイプはミニスロット及びスロットであると判定し、第１の番号は開始位置に対応するシンボル番号に隣接した次の番号であると判定すること、又は、開始位置がシンボル境界ではなく且つ開始位置に対応するシンボル番号が６である場合、第１のサブフレームのタイプはスロットであると判定し、第１の番号は７であると判定することである。
【００６４】
実行可能な実施例において、プロセッサ５０１が開始位置に基づいて第１の番号及び第１のサブフレームのタイプを判定することはさらに、以下に挙げることを含む。すなわち、開始位置がシンボル境界であり且つ開始位置に対応するシンボル番号が７である場合、第１のサブフレームのタイプはスロットであると判定し、第１の番号は７であると判定すること、開始位置がシンボル境界であり且つ開始位置に対応するシンボル番号が７より大きく１４より小さい場合、第１のサブフレームのタイプはミニスロットであると判定し、第１の番号は開始位置に対応するシンボル番号であると判定すること、開始位置がシンボル境界ではなく且つ開始位置に対応するシンボル番号が７より大きいかそれに等しく１３より小さい場合、第１のサブフレームのタイプはミニスロットであると判定し、第１の番号は開始位置に対応するシンボル番号に隣接した次の番号であると判定すること、又は、開始位置がシンボル境界ではなく且つ開始位置に対応するシンボル番号が１３である場合、第１のサブフレームのタイプはサブフレームであると判定し、第１の番号は０であると判定することである。
【００６５】
実行可能な実施例において、ミニスロットに含まれるシンボル数は０より多く７より少ない。また、ミニスロットに含まれるシンボル数が固定である場合、プロセッサ５０１が開始位置に基づいて第１の番号及び第１のサブフレームのタイプを判定することは、以下に挙げることを含む。すなわち、開始位置がシンボル境界であり且つ開始位置に対応するシンボル番号が０である場合、第１のサブフレームのタイプはサブフレームであると判定し、第１の番号は０であると判定すること、開始位置がシンボル境界であり且つ開始位置に対応するシンボル番号が０より大きく７より小さい場合、開始位置に対応するシンボル番号を７から差し引いて第１のシンボル数を求めること、第１のシンボル数が第２のシンボル数より多いかそれに等しい場合、第１のサブフレームのタイプはミニスロット及びスロットであると判定し、第１のシンボル数を第２のシンボル数で割ることにより余りを計算し、第１の番号は開始位置に対応するシンボル番号と余りとの合計であると判定することであって、第２のシンボル数はミニスロットに含まれるシンボル数に等しい、判定すること、又は、第１のシンボル数が第２のシンボル数より少ない場合、第１のサブフレームのタイプはスロットであると判定し、第１の番号は７であると判定することである。
【００６６】
実行可能な実施例において、プロセッサ５０１が開始位置に基づいて第１の番号及び第１のサブフレームのタイプを判定することはさらに、以下に挙げることを含む。すなわち、開始位置がシンボル境界ではなく且つ開始位置に対応するシンボル番号が０より大きいかそれに等しく６より小さい場合、第２の番号を７から差し引いて第１のシンボル数を求めることであって、第２の番号は開始位置に対応するシンボル番号に隣接した次の番号である、求めること、第１のシンボル数が第２のシンボル数より多いかそれに等しい場合、第１のサブフレームのタイプはミニスロット及びスロットであると判定し、第１のシンボル数を第２のシンボル数で割ることにより余りを計算し、第１の番号は第２の番号と余りとの合計であると判定すること、第１のシンボル数が第２のシンボル数より少ない場合、第１のサブフレームのタイプはスロットであると判定し、第１の番号は７であると判定すること、又は、開始位置がシンボル境界ではなく且つ開始位置に対応するシンボル番号が６である場合、第１のサブフレームのタイプはスロットであると判定し、第１の番号は７であると判定することである。
【００６７】
実行可能な実施例において、プロセッサ５０１が開始位置に基づいて第１の番号及び第１のサブフレームのタイプを判定することはさらに、以下に挙げることを含む。すなわち、開始位置がシンボル境界であり且つ開始位置に対応するシンボル番号が７である場合、第１のサブフレームのタイプはスロットであると判定し、第１の番号は７であると判定すること、開始位置がシンボル境界であり且つ開始位置に対応するシンボル番号が７より大きく１４より小さい場合、開始位置に対応するシンボル番号を１４から差し引いて第１のシンボル数を求めること、第１のシンボル数が第２のシンボル数より多いかそれに等しい場合、第１のサブフレームのタイプはミニスロットであると判定し、第１のシンボル数を第２のシンボル数で割ることにより余りを計算し、第１の番号は開始位置に対応するシンボル番号と余りとの合計であると判定すること、又は、第１のシンボル数が第２のシンボル数より少ない場合、第１のサブフレームのタイプはサブフレームであると判定し、第１の番号は０であると判定することである。
【００６８】
実行可能な実施例において、プロセッサ５０１が開始位置に基づいて第１の番号及び第１のサブフレームのタイプを判定することはさらに、以下に挙げることを含む。すなわち、開始位置がシンボル境界ではなく且つ開始位置に対応するシンボル番号が７より大きいかそれに等しく１３より小さい場合、第２の番号を１４から差し引いて第１のシンボル数を求めることであって、第２の番号は開始位置に対応するシンボル番号に隣接した次の番号である、求めること、第１のシンボル数が第２のシンボル数より多いかそれに等しい場合、第１のサブフレームのタイプはミニスロットであると判定し、第１のシンボル数を第２のシンボル数で割ることにより余りを計算し、第１の番号は第２の番号と余りとの合計であると判定すること、第１のシンボル数が第２のシンボル数より少ない場合、第１のサブフレームのタイプはサブフレームであると判定し、第１の番号は０であると判定すること、又は、開始位置がシンボル境界ではなく且つ開始位置に対応するシンボル番号が１３である場合、第１のサブフレームのタイプはサブフレームであると判定し、第１の番号は０であると判定することである。
【００６９】
実行可能な実施例において、送受信機５０３が第１のサブフレームのタイプ及び第１の番号を端末に送信することは、ダウンリンク制御情報ＤＣＩを用いて、第１のサブフレームのタイプ及び第１の番号を端末に送信することを含む。
【００７０】
実行可能な実施例において、送受信機５０３がＤＣＩを用いて第１のサブフレームのタイプ及び第１の番号を端末に送信することは、新たなビット情報をＤＣＩに追加するか又は現在のビット情報を再使用して、第１のサブフレームのタイプ及び第１の番号を端末に送信することを含む。
【００７１】
段階３０１及び段階３０２は、基地局内のプロセッサ５０１及びメモリ５０２によって実行されてよく、段階３０３及び段階３０４は、基地局内の送受信機５０３によって実行されてよい。取得ユニット４０１及び判定ユニット４０２は、基地局内のプロセッサ５０１及びメモリ５０２により実現されてよく、送信ユニット４０３は、基地局内の送受信機５０３により実現されてよい。
【００７２】
図５で説明された基地局では、アンライセンスキャリアをプリエンプトした場合、基地局はプリエンプトされたアンライセンスキャリアの開始位置を取得し、プリエンプトされたアンライセンスキャリアの開始位置に基づいて、第１の番号及び第１のサブフレームのタイプを判定し、第１のサブフレームのタイプ及び第１の番号を端末に送信する。第１のサブフレームのタイプが端末に送信されるので、端末は、第１のサブフレームのタイプに基づいて、第１のサブフレームに対応する受信復調方式を直接に決定してよく、その結果、端末の処理プロセスを簡略化することができる。
【００７３】
本発明の一実施形態がさらに、可読記憶媒体を開示する。可読記憶媒体は、図３に示すサブフレームスケジューリング方法を基地局が実行するのに用いるプログラムコードを格納する。
【００７４】
当業者であれば、複数の実施形態における方法のプロセスの全て又は一部が、関連するハードウェアに命令するコンピュータプログラムによって実現され得ることを理解するであろう。プログラムは、コンピュータ可読記憶媒体に格納されてよい。プログラムが起動すると、複数の実施形態における方法のプロセスが実行され得る。前述の記憶媒体は、磁気ディスク、光ディスク、リードオンリメモリ（Ｒｅａｄ−Ｏｎｌｙ  Ｍｅｍｏｒｙ、ＲＯＭ）、又はランダムアクセスメモリ（Ｒａｎｄｏｍ  Ａｃｃｅｓｓ  Ｍｅｍｏｒｙ、ＲＡＭ）などであってよい。
【図１】
0006737526.tif 000002
【図２】
0006737526.tif 000003
【図３】
0006737526.tif 000004
【図４】
0006737526.tif 000005
【図５】
0006737526.tif 000006